(57)【要約】      （修正有）【課題】現在主流の台所三角コーナー用ゴミ容器はゴミを溜めたまま何時間か何日間経つと、見た目も見苦しいく、ハエなどの虫もたかる。又、丸穴及び線穴等の溝部が多い為、ヌメリや汚れがたまり易く、不潔で、掃除も大変である。【解決手段】蝶番やゴムを使い、開口部が水平に移動する折りたたみ式のゴミ袋保持型のゴミ処理器にした。又、従来型のような丸穴、線穴をなくしヌメリや汚れがたまらないようにした。【効果】水平折りたたみ式の容器なので、不使用時には口を閉じて、見苦しいゴミを隠すことができる。又、口を閉じることにより、虫の侵入を減らせる。【選択図】図１
2008169035.tif 000002
【特許請求の範囲】
【請求項１】
［図１］のように上から見たとき、開口時は四画であったものが閉口時には図１ｂ２のように折り畳まれる、水平移動式の折りたたみ式台所三角コーナー用ゴミ袋保持具。
【請求項２】
図１のＣ１，Ｃ２，Ｃ３のフレーム接続部に蝶番を使用することで、９０度あるいは１８０度を超える折り畳みを可能にした、  折りたたみ式台所三角コーナ用ゴミ袋保持具。
【請求項３】
図１のＢの可動フレームが動作ｂ１の時、蝶番と金属だけではそれ以上折り返すのが無理な所を図１のＤ１，Ｄ２にゴムのフレームを使用することにより１８０度以上の折り返しを可能にした  折りたたみ式台所三角コーナー用ゴミ袋保持具。
【請求項４】
図２Ｅの、ゴミ袋を保持するとともに稼動フレームを動かす際に摘まみの役目も果たすクリップ。
【請求項５】
図５Ｆ１面をシンクの上面に両面テープで固定し、図５Ｆ２のスリットに本体枠を挟んで本体を固定する本体固定クリップ。
【発明の詳細な説明】
【技術分野】
【０００１】台所三角コーナー用ゴミ袋保持具。
【背景技術】新規であり、背景技術はありません。
【発明の開示】
【発明が解決しようとする課題】
【０００２】台所三角コーナーゴミ用として現在主流として使用されているゴミ容器は、丸穴及び線穴等の溝部が多い為、ヌメリや汚れがたまり易く、掃除も大変でした。
ゴミ袋を付けたとしても、その汚れは容器本体まで達して結局同じようになってしまいます。
又、ゴミを溜まったままに何時間かあるいは何日間か放置している間、見た目が見苦しく、ハエなどの虫がたかったりもしていました。
【課題を解決するための手段】
【０００３】従来の小さな穴のある三角容器型でなく、本体なしの、ゴミ袋のみを使用した、ゴミ袋保持タイプとします。
ゴミが丸見えにならないよう、不使用時は袋の上部が閉じられるようにします。
閉じ方法は蝶番を使用した平行スライド式とし、上から見た場合開口時四角なのが、閉口時は「の字になるものとします。これでしたら見苦しいゴミ溜まりを隠す事ができますし、虫の侵入も減らせます。
【発明を実施する為の最良の形態】
【０００４】図１Ａは本体フレームです。アルミ等の金属あるいはプラスチック製で、フレーム全体の支えになります。基本的には図１のａ１面が台所シンクの左側側面に対する面でａ２面がシンクの奥の面に対する面です。
【０００５】図１のＢは可動フレームです。
稼動フレームは、ｂ０からｂ１，ｂ２、のように動作します。
【０００６】図１のＣ１，Ｃ２，Ｃ３は蝶番です。可動フレームが内側に折り畳むのを可能にしています。
【０００７】図１のＤ１，Ｄ２はゴムフレームです。その柔軟性で稼動フレームが動作ｂ１の時、蝶番と金属だけでは不可能な更なる内側への折り畳みを可能にしています。
【０００８】図２のＥは押さえクリップです。
図２の図解Ｅ２のようにセットし、折り返した三角コーナー用ゴミ袋をクリップします。
又、図２の開口状態から図３のように閉口状態にする時、このクリップを摘まみとして使用します。
【０００９】図２のＦは本体セットクリップです。図５はその三角図です。
図５Ｆ１をシンクに両面テープで固定し図５Ｆ２に図１ａ１面の本体枠を挟み、本体を固定します。
【発明の効果】
本製品は三角コーナー用ゴミ袋保持具で、従来の底に穴の開いた三角容器タイプではありません。従って丸穴、線穴等がなく、ヌメリや、汚れの溜まり場がなく清潔です。
汚れるとしてもシンクですが、シンクには凹凸や丸穴線穴がありませんのでさっと洗う事ができます。
ゴミのたまったままの三角容器は、不潔感があり不快ですが、この容器は折りたたみ式ですので、ゴミの入り口を閉じることができます。
ゴミの入り口を閉じることができると、虫の侵入、小さな虫の発生も防げます。
底板や側板がありませんので、横や底からゴミの水や薬による洗浄も可能です。
【図面の簡単な説明】
【００１０】
【図１】全体図  （上面図及び側面図）
【図２】袋装着開口図
【図３】袋装着閉口図
【図４】クリップ
【図５】本体セットクリップ。
【符号の説明】
Ａは本体フレーム全体、ａ１は本体フレーム側面側、ａ２は本体フレーム奥面側、Ｂは可動フレーム全体、ｂ０はゴミ袋保持具開口時の可動フレームの形状、ｂ１は可動フレーム閉じる時の中間位置の形状、ｂ２は閉口時の形状、Ｃ１，Ｃ２，Ｃ３は蝶番を示しています、Ｄ１，Ｄ２はゴム製フレーム、Ｅはゴミ袋押さえクリップ（摘みも兼ねる）、Ｆは本体セットクリップ。
【図１】
2008169035.tif 000003
【図２】
2008169035.tif 000004
【図３】
2008169035.tif 000005
【図４】
2008169035.tif 000006
【図５】
2008169035.tif 000007
【手続補正書】
【提出日】平成19年9月22日(2007.9.22)
【手続補正１】
【補正対象書類名】明細書
【補正対象項目名】発明の効果
【補正方法】変更
【補正の内容】
【発明の効果】
本製品は三角コーナー用ゴミ袋保持具で、従来の底に穴の開いた三角容器タイプではありません。従って丸穴、線穴等がなく、ヌメリや、汚れの溜まり場がなく清潔です。
汚れるとしてもシンクですが、シンクには凹凸や丸穴線穴がありませんのでさっと洗う事ができます。
ゴミのたまったままの三角容器は、不潔感があり不快ですが、この容器は折りたたみ式ですので、ゴミの入り口を閉じることができます。
ゴミの入り口を閉じることができると、虫の侵入、小さな虫の発生も防げます。
暫くゴミが入ったままで、中身の状態が気になる時は、底板や側板がありませんので、横や底から、袋ごと水での洗浄も可能です。
ゴムフレームの柔軟性は、蝶番と金属だけでは不可能な内側への折り畳みを可能にしていますが、ある程度の剛性も有しています。
そのため、開口時には開いた形状、閉口時には閉じた形状をそのまま維持します。口を閉じた時クリップ等で止めるようなタイプのものがありますが、このゴミ袋保持具では必用ありません。そのままその形状を維持します。
従いまして、開閉が楽です。ゴミ袋の押さえクリップを兼ねたツマミを引けば四角にワンタッチで開き、奥に押せば逆Ｌ字型にワンタッチで閉じます。
片手でも開閉できるので、実作業時においては非常に便利です。
本体は開いた状態では高さ２ｃｍ程の四角い枠の形状で、それを本体セットクリップに挟む形でセットする仕組みです。ゴミ袋を四角い枠の中に入れゴミ袋の上辺を枠に沿って外側に折り返し、本体セットクリップに枠の一辺を挟み込むだけでセット完了です。
本体セットクリップから枠をはずして手元でゴミ袋をセットすることもできますし、ゴミの入った袋を枠ごとゴミ箱まで運びゴミ箱でゴミ袋をはずす事もできます。
又、本体セットクリップに枠の一辺を挟み込んでゴミ袋をクリップしますのでゴミ袋止めのクリップを少なくすることが出来ました。
【手続補正書】
【提出日】平成19年11月29日(2007.11.29)
【手続補正２】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】台所三角コ−ナ−用ゴミ袋保持具。
【背景技術】新規であり、背景技術はありません。
【発明の開示】
【発明が解決しようとする課題】
【０００２】台所三角コ−ナ−ゴミ用として現在主流として使用されているゴミ容器は、丸穴及び線穴等の溝部が多い為、ヌメリや汚れがたまり易く、掃除も大変でした。
ゴミ袋を付けたとしても、その汚れは容器本体まで達して結局同じようになってしまいます。
又、ゴミを溜まったままに何時間かあるいは何日間か放置している間、見た目が見苦しく、ハエなどの虫がたかったりもしていました。
【課題を解決するための手段】
【０００３】従来の小さな穴のある三角容器型でなく、本体なしの、ゴミ袋のみを使用した、ゴミ袋保持タイプとします。
ゴミが丸見えにならないよう、不使用時は袋の上部が閉じられるようにします。
閉じ方法は蝶番を使用した平行スライド式とし、上から見た場合開口時四角
2008169035.tif 000008
溜まりを隠す事ができますし、虫の侵入も減らせます。
【発明を実施する為の最良の形態】
【０００４】図１Ａは本体フレ−ムです。アルミ等の金属あるいはプラスチック製で、フレ−ム全体の支えになります。基本的には図１のａ１面が台所シンクの左側側面に対する面でａ２面がシンクの奥の面に対する面です。
【０００５】図１のＢは可動フレ−ムです。
稼動フレ−ムは、ｂ０からｂ１，ｂ２、のように動作します。
【０００６】図１のＣ１，Ｃ２，Ｃ３は蝶番です。可動フレ−ムが内側に折り畳むのを可能にしています。
【０００７】図１のＤ１，Ｄ２はゴムフレ−ムです。その柔軟性で稼動フレ−ムが動作ｂ１の時、蝶番と金属だけでは不可能な更なる内側への折り畳みを可能にしています。
【０００８】図２のＥは押さえクリップです。
図２の図解Ｅ２のようにセットし、折り返した三角コ−ナ−用ゴミ袋をクリップします。
又、図２の開口状態から図３のように閉口状態にする時、このクリップを摘まみとして使用します。
【０００９】図２のＦは本体セットクリップです。図５はその三角図です。
図５Ｆ１をシンクに両面テ−プで固定し図５Ｆ２に図１ａ１面の本体枠を挟み、本体を固定します。
【発明の効果】
【００１０】  本製品は三角コ−ナ−用ゴミ袋保持具で、従来の底に穴の開いた三角容器タイプではありません。従って丸穴、線穴等がなく、ヌメリや、汚れの溜まり場がなく清潔です。
汚れるとしてもシンクですが、シンクには凹凸や丸穴線穴がありませんのでさっと洗う事ができます。
ゴミのたまったままの三角容器は、不潔感があり不快ですが、この容器は折りたたみ式ですので、ゴミの入り口を閉じることができます。
ゴミの入り口を閉じることができると、虫の侵入、小さな虫の発生も防げます。
暫くゴミが入ったままで、中身の状態が気になる時は、底板や側板がありませんので、横や底から、袋ごと水での洗浄も可能です。
ゴムフレ−ムの柔軟性は、蝶番と金属だけでは不可能な内側への折り畳みを可能にしていますが、ある程度の剛性も有しています。
そのため、開口時には開いた形状、閉口時には閉じた形状をそのまま維持します。口を閉じた時クリップ等で止めるようなタイプのものがありますが、このゴミ袋保持具では必用ありません。そのままその形状を維持します。
従いまして、開閉が楽です。ゴミ袋の押さえクリップを兼ねたツマミを引けば四角にワンタッチで開き、奥に押せば逆Ｌ字型にワンタッチで閉じます。
片手でも開閉できるので、実作業時においては非常に便利です。
本体は開いた状態では高さ２ｃｍ程の四角い枠の形状で、それを本体セットクリップに挟む形でセットする仕組みです。ゴミ袋を四角い枠の中に入れゴミ袋の上辺を枠に沿って外側に折り返し、本体セットクリップに枠の一辺を挟み込むだけでセット完了です。
本体セットクリップから枠をはずして手元でゴミ袋をセットすることもできますし、ゴミの入った袋を枠ごとゴミ箱まで運びゴミ箱でゴミ袋をはずす事もできます。
又、本体セットクリップに枠の一辺を挟み込んでゴミ袋をクリップしますのでゴミ袋止めのクリップを少なくすることが出来ました。
【図面の簡単な説明】
【００１１】
【図１】全体図（上面図及び側面図）
【図２】袋装着開口図
【図３】袋装着閉口図
【図４】クリップ
【図５】本体セットクリップ。
【符号の説明】
【００１２】Ａは本体フレ−ム全体、ａ１は本体フレ−ム側面側、ａ２は本体フレ−ム奥面側、Ｂは可動フレ−ム全体、ｂ０はゴミ袋保持具開口時の可動フレ−ムの形状、ｂ１は可動フレ−ム閉じる時の中間位置の形状、ｂ２は閉口時の形状、Ｃ１，Ｃ２，Ｃ３は蝶番を示しています、Ｄ１，Ｄ２はゴム製フレ−ム、Ｅはゴミ袋押さえクリップ（摘みも兼ねる）、Ｆは本体セットクリップ。